(57)【要約】【課題】  原稿圧板の上に記録紙を排出する小型省スペースＭＦＰにおいて最高の印字品質を保つ動作制御をする。【解決手段】  原稿台と、原稿読取手段と、画像蓄積手段と、画像を形成するためのシートを支持するシート支持手段と、シート支持手段に支持されているシートに画像を形成する記録手段と、一辺を回動軸として原稿台を開放可能に設けられ、原稿台に載置された原稿を原稿台側に押圧するカバー部材と、記録手段で画像が形成されたシートをカバー部材の上方へと排出するシート排出手段と、カバー部材の原稿押え面とは反対側の面上に、シート排出手段から排出されたシートを積載するためのシート積載部とを有する構成において、前記カバー部材は開閉検知センサを有し、前記カバー部材の開を検知した場合、メモリーコピーとし、前記原稿の読取が終了後、前記カバー部材の閉を検知してから排出動作を始める。【選択図】  図１
2006165636.tif 000002
【特許請求の範囲】
【請求項１】
原稿を積載する原稿台と、
前記原稿台に沿って移動しながら原稿画像を読み取る光学手段を有する原稿読取手段と、
画像を蓄積するための画像蓄積手段と
画像を形成するためのシートを支持するシート支持手段と、
前記シート支持手段に支持されているシートに画像を形成する記録手段と、
一辺を回動軸として前記原稿台を開放可能に設けられ、前記原稿台に載置された原稿を原稿台側に押圧するカバー部材と、
前記記録手段で画像が形成されたシートを前記カバー部材の上方へと排出するシート排出手段と、
前記カバー部材の原稿押え面とは反対側の面上に、前記シート排出手段から排出されたシートを積載するためのシート積載部とを有する構成において、
前記カバー部材は開閉検知センサを有し、前記カバー部材の開を検知した場合、メモリーコピーとし、前記原稿の読取が終了後、前記カバー部材の閉を検知してから排出動作を始めることを特徴とする画像読取記録装置。
【請求項２】
原稿を積載する原稿台と、
前記原稿台に沿って移動しながら原稿画像を読み取る光学手段を有する原稿読取手段と、
画像を蓄積するための画像蓄積手段と
画像を形成するためのシートを支持するシート支持手段と、
前記シート支持手段に支持されているシートに画像を形成する記録手段と、
一辺を回動軸として前記原稿台を開放可能に設けられ、前記原稿台に載置された原稿を原稿台側に押圧するカバー部材と、
前記記録手段で画像が形成されたシートを前記カバー部材の上方へと排出するシート排出手段と、
前記カバー部材の原稿押え面とは反対側の面上に、前記シート排出手段から排出されたシートを積載するためのシート積載部とを有する構成において、
前記カバー部材は開閉検知センサを有し、前記カバー部材の開を検知した場合、メモリーコピーとし、前記原稿の読取が終了後、前記カバー部材の閉を検知してから記録動作を始めることを特徴とする画像読取記録装置。
【請求項３】
原稿を積載する原稿台と、
前記原稿台に沿って移動しながら原稿画像を読み取る光学手段を有する原稿読取手段と、
画像を入力するための画像入力手段
画像を蓄積するための画像蓄積手段と
画像を形成するためのシートを支持するシート支持手段と、
前記シート支持手段に支持されているシートに画像を形成する記録手段と、
一辺を回動軸として前記原稿台を開放可能に設けられ、前記原稿台に載置された原稿を原稿台側に押圧するカバー部材と、
前記記録手段で画像が形成されたシートを前記カバー部材の上方へと排出するシート排出手段と、
前記カバー部材の原稿押え面とは反対側の面上に、前記シート排出手段から排出されたシートを積載するためのシート積載部とを有する構成において、
前記カバー部材は開閉検知センサを有し、前記画像入力手段に画像が入力された場合、前記カバー部材の開閉検知状態を確認し、前記カバー部材の開を検知した場合、前記カバーを閉めるよう促す通知したことを特徴とする画像読取記録装置。
【請求項４】
前記原稿の読取終了後、カバーを閉めるよう促す通知をしたことを特徴とする請求項1、２記載の画像読取記録装置。
【請求項５】
前記画像読取記録装置は、表示部を有し、前記原稿の読取終了後、表示部に“カバーを閉めてください”という意味の表示を出すか、または、ランプの点滅等で通知したことを特徴とする請求項３、４記載の画像読取記録装置。
【請求項６】
前記画像読取記録装置は音を出すためのスピーカーを有し、前記原稿の読取終了後、スピーカーから“カバーを閉めてください”という意味の音声を出すか、または、アラームで通知したことを特徴とする請求項３、４に記載の画像読取記録装置。
【請求項７】
前記画像読取記録装置の記録手段はインクジェット記録手段であることを特徴とする請求項１〜６に記載の画像読取記録装置。
【請求項８】
前記画像読取記録装置の読取手段はコンタクトセンサ（ＣＳ）を用いた読取手段であることを特徴とする請求項1〜７に記載の画像読取記録装置。
【請求項９】
前記記録手段は、前記原稿読取手段の側方上部に配置されていることを特徴とする請求項1〜８に記載の画像読取記録装置。
【発明の詳細な説明】
【技術分野】
【０００１】
本発明は、原稿台上に載置した原稿の画像を読み取る機能と、搬送するシート上に画像を形成する機能とを具備した画像読取記録装置に関するものである。
【背景技術】
【０００２】
従来、この種の画像読取記録装置としては、例えば複写機、ファクシミリ装置あるいは複合機などがある。
【０００３】
これらの画像記録装置では、原稿台に載置された原稿の原稿画像を走査して画像を読み取るフラットベットタイプの画像読取手段（フラットベットスキャナ）を備えた装置が知られている。このような装置では、原稿台に載置する原稿を押さえるなどのための圧板を開閉自在に回動させる構成としている。
【０００４】
また、特開２０００−１７７９０９号公報（図８）に示すような構成の場合、圧板を開いたままコピーしようとすると排出されてくる記録紙が圧板５に乗り上げ先端に抵抗を受けながら記録排出する構成になっていた。
【特許文献１】特開２０００−１７７９０９号公報
【発明の開示】
【発明が解決しようとする課題】
【０００５】
しかしながら、上記のような従来技術の場合には、以下のような問題があった。
【０００６】
上述した従来技術の構成において、圧板を開いたままコピーした場合、記録中の記録紙Ｃが圧板５に乗り上げ先端に抵抗を受けながら印字されるため、画像品質が悪くなることがあるという課題があった。
【課題を解決するための手段】
【０００７】
上記目的を達成するために本発明は以下のような構成を備える。
【０００８】
本発明に係わる画像読取記録装置の第１の構成は、  原稿を積載する原稿台と、前記原稿台に沿って移動しながら原稿画像を読み取る光学手段を有する原稿読取手段と、画像を蓄積するための画像蓄積手段と画像を形成するためのシートを支持するシート支持手段と、前記シート支持手段に支持されているシートに画像を形成する記録手段と、一辺を回動軸として前記原稿台を開放可能に設けられ、前記原稿台に載置された原稿を原稿台側に押圧するカバー部材と、前記記録手段で画像が形成されたシートを前記カバー部材の上方へと排出するシート排出手段と、前記カバー部材の原稿押え面とは反対側の面上に、前記シート排出手段から排出されたシートを積載するためのシート積載部とを有する構成において、前記カバー部材は開閉検知センサを有し、前記カバー部材の開を検知した場合、メモリーコピーとし、前記原稿の読取が終了後、前記カバー部材の閉を検知してから排出動作を始めることを特徴とする。
【０００９】
本発明に係る画像読取記録装置の第２の構成は、原稿を積載する原稿台と、前記原稿台に沿って移動しながら原稿画像を読み取る光学手段を有する原稿読取手段と、画像を蓄積するための画像蓄積手段と画像を形成するためのシートを支持するシート支持手段と、前記シート支持手段に支持されているシートに画像を形成する記録手段と、一辺を回動軸として前記原稿台を開放可能に設けられ、前記原稿台に載置された原稿を原稿台側に押圧するカバー部材と、前記記録手段で画像が形成されたシートを前記カバー部材の上方へと排出するシート排出手段と、前記カバー部材の原稿押え面とは反対側の面上に、前記シート排出手段から排出されたシートを積載するためのシート積載部とを有する構成において、前記カバー部材は開閉検知センサを有し、前記カバー部材の開を検知した場合、メモリーコピーとし、前記原稿の読取が終了後、前記カバー部材の閉を検知してから記録動作を始めることを特徴とする。
【００１０】
本発明に係わる画像読取記録装置の第３の構成は、原稿を積載する原稿台と、前記原稿台に沿って移動しながら原稿画像を読み取る光学手段を有する原稿読取手段と、画像を入力するための画像入力手段画像を蓄積するための画像蓄積手段と画像を形成するためのシートを支持するシート支持手段と、前記シート支持手段に支持されているシートに画像を形成する記録手段と、一辺を回動軸として前記原稿台を開放可能に設けられ、前記原稿台に載置された原稿を原稿台側に押圧するカバー部材と、前記記録手段で画像が形成されたシートを前記カバー部材の上方へと排出するシート排出手段と、前記カバー部材の原稿押え面とは反対側の面上に、前記シート排出手段から排出されたシートを積載するためのシート積載部とを有する構成において、前記カバー部材は開閉検知センサを有し、前記画像入力手段に画像が入力された場合、前記カバー部材の開閉検知状態を確認し、前記カバー部材の開を検知した場合、前記カバーを閉めるよう促す通知したことを特徴とする。
【００１１】
本発明に係わる画像読取記録装置の第４の構成は、前記原稿の読取終了後、カバーを閉めるよう促す通知をしたことを特徴とする。
【００１２】
本発明に係わる画像読取記録装置の第５の構成は、前記画像読取記録装置は、表示部を有し、前記原稿の読取終了後、表示部に“カバーを閉めてください”という意味の表示を出すか、または、ランプの点滅等で通知したことを特徴とする。
【００１３】
本発明に係わる画像読取記録装置の第６の構成は、前記画像読取記録装置は音を出すためのスピーカーを有し、前記原稿の読取終了後、スピーカーから“カバーを閉めてください”という意味の音声を出すか、または、アラームで通知したことを特徴とする。
【００１４】
本発明に係わる画像読取記録装置の第７の構成は、前記画像読取記録装置の記録手段はインクジェット記録手段であることを特徴とする。
【００１５】
本発明に係わる画像読取記録装置の第８の構成は、前記画像読取記録装置の読取手段はコンタクトセンサ（ＣＳ）を用いた読取手段であることを特徴とする。
【００１６】
本発明に係わる画像読取記録装置の第９の構成は、前記記録手段は、前記原稿読取手段の側方上部に配置されていることを特徴とする。
【００１７】
前記手段により、前記原稿台を開いたままでコピーを行っても、印字中の記録紙と前記原稿台が干渉せず、最高の記録画像品質を保つことができる。また、メモリー読取終了後に表示部に前記原稿台を閉めるよう促す表示、ランプ点滅、またはスピーカーから音声、アラーム等を出すことによりユーザーの使い勝手が飛躍的に向上する。また、ＰＣ接続のプリンター、またはＦＡＸとして使用した場合でもカバーが開いていることを通知することにより閉め忘れによる受信記録画像不良を防ぐことができる。
【発明の効果】
【００１８】
以上説明したように本発明によれば、原稿圧板の上に記録紙を排出する構成にしても、印字中の記録紙と圧板が干渉することが無く、最高の印字品質を保つことができる。また、圧板が開いていることを検知しユーザーに通知することにより、圧板閉め忘れ時の記録画像不良を防ぐことができる。
【発明を実施するための最良の形態】
【００１９】
以下、図を参照して本発明の最も特徴となる画像読取記録装置の実施の形態を詳細に説明する。
【００２０】
まず、実施形態に係る画像読取記録装置の各部構成要素の配置を簡単に説明する。図1は画像読取記録装置の外観斜視図であり、図2は画像読取記録装置の概略構成断面図、図３は画像読取記録装置の概略部品上面配置図である。
【００２１】
図に示したように画像読取記録装置は、原稿読取手段としてのフラットベットスキャナ方式の原稿読取部Ａと、原稿読取部Ａの装置奥側上部に配置されている画像形成手段であるインクジェット記録装置の記録部Ｂと、原稿読取部Ａの下方に記録シート1を支持収納し、装置手前側Ｅに引き出し可能な記録前シート用積載部を構成する記録紙カセット（記録紙収納カセット）Ｃが設けられている。
【００２２】
また図３に示すように制御用基板４１を原稿読取部Ａの下方で記録紙カセットＣの装置右側、電源４２を記録紙カセットＣの装置左側に配置している。
【００２３】
また、記録部Ｂで記録印字された記録シート1が略水平に排出される排出口２を有するシート排出手段である排出部Ｄは、原稿読取部Ａで読み取られる原稿を押圧するカバー部材である圧板３の装置奥側に上部に位置している。
【００２４】
ここで、圧板３は原稿を原稿台側に押圧するカバーするための機能を備えると共に、原稿を押さえる側の反対側の面（上面）においては、排出口２から排出される記録済みのシートを積載するための記録済みシート積載部（排紙トレイ）としての機能も備えている。原稿のカバー部材としての圧板３は、圧板ヒンジ４を回動中心として装置奥側方向に回動可能に構成されている。
【００２５】
また記録部Ｂにおいて、記録カバー５が記録カバーヒンジ６を回動中心に上カバー７に回動可能に構成されている。
【００２６】
また５１は操作部であり液晶表示部とダイアルキー他の操作キーが図示のように配設されている。
【００２７】
次に読取部Ａについて説明する。
【００２８】
図４は画像読取記録装置の読取部部品上面配置図である。ここで原稿読取部Ａの長手方向およびイメージセンサの移動方向Ｆと、記録紙カセットＣの長手方向及び記録紙の搬送方向Ｇは直交するように配置されている。
【００２９】
図に示すように、読取部Ａでは原稿読取手段としてのイメージセンサ３０がイメージセンサホルダ３１に取り付けられており、イメージセンサホルダ３１がガイドレール３２に固定されており、図示していない読取駆動部により図示しないベルトが駆動されるに従ってイメージセンサ３０はガイドレール３２に沿って矢印Ｆで示す装置左右方向に水平に駆動される。イメージセンサ３０の上に原稿台としてのコンタクトガラス３３があり、このコンタクトガラス３３の原稿載置面上に原稿面を下向きにセットして、イメージセンサ３０の矢印Ｆ方向の読取走査により、原稿の画像情報を読み取る。
【００３０】
本実施例において、原稿のサイズは例えばＡ４サイズであり、イメージセンサの長手方向読み取り可能幅は、２１０ｍｍ、読み取り搬送距離は、２９７ｍｍである。
【００３１】
圧板ヒンジ４で回動可能な圧板３のコンタクトガラス３３に接する面は、スポンジ、あるいは発泡ウレタンなどの材料で形成され、原稿をコンタクトガラス３３に均一に押し付けるように構成されている。また、圧板ヒンジ４を原稿読取部Ａに対して上下方向に取り外し可能なように図示しない読取部カバーの穴に嵌合している。
【００３２】
次に記録シート1の流れについて概略説明を行う。一連の記録紙搬送路は矢印Ｇで示されている。
【００３３】
最初に記録紙カセットＣについて説明する。
【００３４】
記録シート1としては、普通紙やプラスチックシート等及びその他の材質であって、インクを転写し得るものを用いることが可能である。本実施例では、Ａ４サイズにカットされた普通紙を記録シート1として用いる。そして記録シート1は、複数枚重ねてカセットフレーム２１に図示しない記録紙高さ規制板により限られた枚数が収納積載される。カセットフレーム２１は図示しないスライダによって記録シート１のサイズに合わせて記録シート１の側面をガイドできるように構成されている。
【００３５】
また図２に於いて、記録シート１の底部に構成している中板２２は、図示しない回転軸を中心に回動可能に支持され、図示しない中板ばねにより記録シート１を分離ローラ２３へと接触させる。また、図示しない駆動系により分離ローラ２３が図示する矢印方向に１回転制御されており、ゴム部２３ａに記録シート１が接触すると前述中板２２の付勢力を得て、分離ローラ２３および分離パット２４によって１枚だけ分離され記録部ＢまでＵターン搬送される。
【００３６】
次に、記録部Ｂについて説明をする。
【００３７】
本装置の記録系としては、一般にインクジェット記録装置と称されるものを採用している。
【００３８】
図２に於いて、記録部Ｂはパソコン等の上位機器から伝送された画信号、文字データ等の画信号に応じて、あるいは読取部Ａで読み取った画像信号に応じて記録紙カセットＣより供給された記録シート1に画像を記録するものである。
【００３９】
詳細に説明をすると、記録紙押さえ１０は、ＬＦローラ１１側に押圧されてあり記録紙カセットＣより搬送された記録シート１の上ガイドを兼ねながら、ピンチローラ１０ａをＬＦローラ１１に対向させている。そして記録カートリッジ１２とプラテン板１３との間を記録シート１が搬送され、記録カートリッジ１２により重力方向にインクを吐出することにより記録動作を行う。本実施例に於いては、図示しないモータ及び駆動系により記録カートリッジ１２は、キャリッジ１２ａに着脱可能に搭載され、キャリッジシャフト１４を摺動することで、記録シート１の幅方向（記録シート搬送方向に直行する方向）に対して移動しながら、シリアル印字するよう構成している。
【００４０】
次に印字記録後の記録シート１は、記録カートリッジ１２の下流に位置する排出部Ｄに搬送され、印字がなされた記録紙を装置の下流に搬送する排紙ローラ１５ａと、排紙ロ−ラの対向側にあり記録紙の印字面に接触してもインクが転写されることの無い材質で構成された拍車ローラ１５ｂにより印字面を汚さないように記録シート１を図示する矢印方向Ｇの機外へと搬送し、記録紙排紙トレイを兼ねた読取部Ａの圧板３上にストレートに排出される。
【００４１】
また、記録カートリッジ１２の装填や交換は、記録カバー５が記録部の上部に設けられたことにより、操作者による記録カバー５の開閉で簡単に行うことができる。即ち、図２に示したように圧板３及び読取部Ａに干渉しないように、記録カバー５の開閉を行うことができるように構成されており、記録カートリッジ１２の着脱を自在として操作者の操作性及びメンテナンス性を向上させている。さらに、記録シート１の補充は、上述したように記録カセットＣの装置手前方向Ｅへの引き出し操作により簡単に行うことができる。
【００４２】
本発明の実施形態の一例として、記録シートとしてＡ４サイズの普通紙を１００枚収納可能な記録紙カセットＣの上に、Ａ４サイズ原稿を読み取るフラットベットスキャナ（原稿読取部）Ａを置き、装置奥側上部にインクジェット記録部Ｂを配置した構成とすれば、インクジェット記録部Ｂの記録カートリッジ１２の動作範囲に必要な大きさと、フラットベットスキャナのイメージセンサ３０の動作範囲がほぼ同じのため、装置本体の大きさは装置横幅３７０ｍｍ、装置奥行き３５０ｍｍ、装置高さ１８０ｍｍ程度の寸法サイズを達成することができ、設置面範囲が略Ａ３サイズも必要としないので個人のデスク上に本画像読取記録装置を設置して、操作者が座ったまま操作可能である。
【００４３】
次に、図６を参照して本発明の動作フローを説明する。まず、コピーボタンを押してコピーを開始する。次に、圧板の開閉検知センサが開いていることを検知しているかどうかを確認（Ｓ１）し、閉じている場合（ＹＥＳ）は、読み取りを開始し（Ｓ２）、それと同時または読み取り中に記録を開始する（Ｓ３）。このときは、読み取りと記録を同時に行っている状態が生じる。しかし、この場合は、圧板が閉じているので排出されてくる記録紙と圧板が干渉することは無いので問題ない記録画像が得られる。次に、コピースタート後圧板が開いていることを検知した場合（Ｓ１、ＮＯ）、メモリーコピー動作になり、読み取りのみを開始する（Ｓ４）。メモリー読取終了（Ｓ５）後もう一度、圧板が閉じているか確認する（Ｓ６、ＹＥＳ）。圧板が閉じていることを検知した場合、記録動作を始める（Ｓ３）。また、メモリー読取終了（Ｓ５）後、圧板が開いていた場合（Ｓ６、ＮＯ）は、表示部に“圧板を閉じてください”という意味の表示を出すか、または、スピーカーから“圧板を閉じてください”という意味の音声を出し（Ｓ７）、ユーザーに圧板を閉めさせる。圧板が閉じていることを検知するまでこの動作（Ｓ６、Ｓ７）を繰り返す。圧板が閉じられたことを検知（Ｓ６、ＹＥＳ）したら、記録動作（Ｓ３）に入りコピー終了となる。また、メモリーコピー動作のときに印字する直前まで記録紙を給紙しておくとさらにコピー動作を早く終了することができる。
【００４４】
また、ＰＣ接続の複合機等の場合、圧板３を開いたままプリンターとして使用する場合が生じる。この場合も、表示、音でユーザーにカバーを閉めるよう通知するようにしている。
【００４５】
このように、小型化に最適なインクジェット記録手段を原稿読取手段の側方上部に配置した構成においても、立体物のコピーなど圧板を開いたままでコピー動作を行っても出てくる記録紙と圧板が干渉せず最高の画像品質が得られる。
【００４６】
図７は、本発明の一実施例である画像読取記録装置の回路構成を示すブロック図である。
【００４７】
開閉検知センサ（ＯＣＳ５０）から信号を出し、記録装置、画像処理装置に信号を出す制御になっている。
【００４８】
ＣＰＵ１０１は、画像形成装置のシステム制御部であり、画像形成装置の全体を制御する。
【００４９】
ＲＯＭ１０２は、画像形成装置のシステム制御プログラムを格納するものである。なお、ＣＰＵ１０１は、ＲＯＭ１０２に格納されている制御プログラムに基づいて、画像形成装置に関する各種の動作を実行する。このようなＣＰＵ１０１の制御プログラムは、ＲＯＭ１０２に格納されているものに限らず、フロッピー（登録商標）ディスクやＣＤ−ＲＯＭ等による外部の記憶媒体に記憶されているものでもよく、これを専用の読取装置によって、画像形成装置のＲＡＭ(例えばＳＲＡＭ１０４)に取り込み、これをＣＰＵ１０１が解読し、実行するようにしてもよい。
【００５０】
ＰＲＩＮＴＥＲ１０３は、入力された画像データを記録紙に印字するためのものである。
【００５１】
ＳＲＡＭ１０４は、主に、イメージセンサの位置カウンタ、画像形成装置の登録データ等を格納するものであり、ＤＲＡＭ１０５は、主に、画像データを格納するものである。
【００５２】
ＰＣ  Ｉ／Ｆ１０６は、画像形成装置とＰＣ１０７とを接続するインターフェースであり、ＰＣ１０７は、これを介して画像形成装置の各種設定データ変更をしたり、各種動作の起動要求を行うホストコンピュータである。
【００５３】
ＩＭＡＧＥ  ＰＲＯＣＥＳＳＯＲ１０８は、ＩＭＡＧＥ  ＳＥＮＳＯＲ１０９によって入力された画像データに各種画像処理を施すものである。ＩＭＡＧＥ  ＳＥＮＳＯＲ１０９は、原稿上の画像の読み取りを行うための接触型読み取りセンサ等である。
【００５４】
ＯＰＥＲＡＴＩＯＮ  ＰＡＮＥＬ１１０は、装置の状態等を表示するためのＤＩＳＰＬＡＹ１１１を有し、オペレータからの動作指示入力や各種データ登録をしたり、ＤＩＳＰＬＡＹ１１１を通じて装置の状態を確認するためのものである。
【００５５】
ＮＣＵ１１２は、公衆回線網の制御を行うものであり、ＭＯＤＥＭ１１３は、デジタル信号とアナログ信号について、変調と復調とを行うものである。
【００５６】
以上、本発明の一実施例の形態について説明をしたが、本発明はこの実施の形態に限られるものではなく、その要旨を逸脱しない範囲においてさらに種々主の形態を採用することができるのはもちろんである。
【００５７】
例えば、図５に示すように操作部５２を装置前面に配置した構成の複写機、ファクシミリ装置あるいは複合機に適用しても構わない。また実施の形態は原稿のカバー部材としての圧板３は、圧板ヒンジ４を回動中心として装置奥側方向に回動可能に構成されているが、圧板ヒンジ４を装置左右どちらかに配置し、圧板３を左右方向に回動可能に構成した複写機、ファクシミリ装置あるいは複合機に適用しても構わない。また制御用基板４１を記録紙カセットＣの左側、電源４２を記録紙カセットＣの右側に配置したものであったが、制御用基板を記録紙カセットＣの右側、電源を記録紙カセットＣの左側に配置しても構わない。さらに原稿読取部にイメージセンサを用いた場合を説明したが、光学ミラーを移動させる方式のフラットベットスキャナであっても構わない。
【図面の簡単な説明】
【００５８】
【図１】本発明を最も良く示す実施例における画像読取記録装置の外観斜視図である。
【図２】本発明における画像読取記録装置の概略構成断面図である。
【図３】本発明における画像読取記録装置の概略部品上面配置図である。
【図４】本発明における画像読取記録装置の読み取り部部品上面配置図である。
【図５】本発明の他の実施例における画像読取記録装置の外観斜視図である。
【図６】本発明における画像読取記録装置の動作フローチャートである。
【図７】本発明における画像読取記録装置のシステムブロック図である。
【図８】従来例：特願平10-375431の概略構成断面図である。
【符号の説明】
【００５９】
１  記録シート
２  排出口
３  圧板
５  記録カバー
７  上カバー
１０  記録紙押さえ
１０ａ  ピンチローラ
１１  ＬＦローラ
１２  記録カートリッジ
１２ａ  キャリッジ
１３  プラテン板
１４  キャリッジシャフト
１５ａ  排紙ローラ
１５ｂ  拍車ローラ
２１  カセットフレーム
２２  中板
２３  分離ローラ
２３ａ  ゴム部
２４  分離パット
３０  イメージセンサ
３１  イメージセンサホルダ
３２  ガイドレール
３３  コンタクトガラス
４１  制御用基板
４２  電源
５０  ＯＣＳ（開閉検知センサ）
５１  スピーカー
１０１  ＣＰＵ
１０２  ＲＯＭ
１０３  ＰＲＩＮＴＥＲ
１０４  ＳＲＡＭ
１０５  ＤＲＡＭ
１０６  ＰＣ  Ｉ／Ｆ
１０７  ＰＣ
１０８  ＩＭＡＧＥ  ＰＲＯＣＥＳＳＯＲ
１０９  ＩＭＡＧＥ  ＳＥＮＳＯＲ
１１０  ＯＰＥＲＡＴＩＯＮ  ＰＡＮＥＬ
１１１  ＤＩＳＰＬＡＹ
１１２  ＮＣＵ
１１３  ＭＯＤＥＭ
Ａ  画像読取部
Ｂ  記録部
Ｃ  カセット
Ｄ  排出部
【図１】
2006165636.tif 000003
【図２】
2006165636.tif 000004
【図３】
2006165636.tif 000005
【図４】
2006165636.tif 000006
【図５】
2006165636.tif 000007
【図６】
2006165636.tif 000008
【図７】
2006165636.tif 000009
【図８】
2006165636.tif 000010